(57)【特許請求の範囲】
【請求項１】
前出し本体上にある商品を外力により商品取出部位側に移動させる作動装置を有する商品前出し機と、前記商品前出し機と平行に設置され、前記前出し本体上にある前記商品の移動をガイドしてなる仕切り板を有する仕切り機と、
前記商品取出部位側の仕切り板端部に少なくとも一個分の前記商品につき設けて対向する前記仕切り板間の最適距離を決め、前記仕切り板同士を位置決めする幅調節スペーサと、該幅調節スペーサにて位置決めした前記仕切り板同士及び前記商品前出し機を位置止めする位置固定機と、からなり、
該幅調節スペーサは、商品列を該仕切り板で挟み込んだ際、幅調節スペーサの内側寸法が、該幅調節スペーサを有さない仕切り板部分の内側寸法より小となるものであることを特徴とする商品陳列ユニット。
【請求項２】
前出し本体上にある商品を外力により商品取出部位側に移動させる作動装置を含むと共に、前記前出し本体にこれを左右に分割すると共に前後方向に延在する仕切り板を設け前記商品の移動をガイドしてなる商品前出し機と、
前記商品取出部位側の仕切り板端部に少なくとも一個分の前記商品につき設けて対向する前記仕切り板間の最適距離を決め、前記商品前出し機同士を位置決めする幅調節スペーサと、
該幅調節スペーサにて位置決めした前記商品前出し機同士を位置止めする位置固定機と、からなり、
該幅調節スペーサは、商品列を該仕切り板で挟み込んだ際、幅調節スペーサの内側寸法が、該幅調節スペーサを有さない仕切り板部分の内側寸法より小となるものであることを特徴とする商品陳列ユニット。
【請求項３】
前記作動装置は、前記前出し本体に多数のローラを架設すると共に該多数のローラを商品取出部位側に下り勾配とし、前記多数のローラ上の前記商品を前記商品取出部位側に移動させる請求項１又は２記載の商品陳列ユニット。
【請求項４】
前記作動装置は、前記前出し本体上に進退移動自在に設けた押さえ部を、商品取出部位側に常時弾圧し、前記前出し本体上の前記商品を前記押さえ部により前記商品取出部位側に移動させる請求項１又は２記載の商品陳列ユニット。
【請求項５】
前記商品前出し機に前記位置固定機を設けて一体構成の位置固定付き商品前出し機とし、前記幅調節スペーサにて位置決めして前記位置固定付き商品前出し機同士を連結し位置止めする請求項２〜４のいずれか１項に記載の商品陳列ユニット。
【請求項６】
前記幅調節スペーサは、前記商品前出し機の仕切り板端部に着脱自在である請求項１〜５のいずれか１項に記載の商品陳列ユニット。
【請求項７】
前記作動装置は、前記前出し本体に滑り材を設けたものである請求項１〜６のいずれか１項に記載の商品陳列ユニット。
【発明の詳細な説明】
【０００１】
【発明の属する技術分野】
本発明は、主にコンビニエンスストアーやスーパー等の店内に設置されている商品陳列棚等に載置することにより用いられ、商品の自動前出しが容易な商品陳列ユニットに関する。
【０００２】
【従来の技術】
従来、コンビニエンスストアーやスーパー等では、図１４示す商品陳列ケース５０の各商品陳列棚５１に、多種類の商品５２が豊富に陳列されている。商品５２は手前の方から売れてゆくため、必然的に手前の部分が空くことになり、従って、奥にある商品５２を手前に出す所謂前出し作業が必要となる。この為、種々の自動又は半自動の前出し機能を備えた商品陳列棚又は商品陳列具が多数提案されている。例えば、収納ケース５３の底部に多数のローラ５４が商品陳列ケース５０の扉５５側に下り勾配となるように取り付けられた商品陳列ユニット５６がある（特開平８−２４０９１号公報参照）。この商品陳列ユニット５６は、商品５２を仕切る機能を有する側板５７、５７における幅寸法が決められているから、それに適合する商品５２のみにつき利用できる。従って、商品５２のサイズに合わせた複数種類の商品陳列ユニット５６を取り揃えておく必要がある。
【０００３】
【発明が解決しようとする課題】
上記従来の商品陳列ユニット５６は、商品５２のサイズに合わせた複数種類のものを取り揃えておく必要があるから、その費用が高く管理も煩雑となりやすい。また、この商品陳列ユニット５６はサイズが決まっているから、商品陳列ケース５０内の各商品陳列棚５１の模様替えをするときの自由度が低く、やりずらい。更に、ローラ５４は商品収納ケース５３の底部全面に多数配設されているから、商品陳列ユニット５６の製作費用が高くなりがちである。そこで、図１５に示すように、自動前出しを維持しつつ、商品５２のサイズに合わせて、側板５７、５７間における幅寸法を自在に決め、そのまま位置止め出来る商品陳列ユニット５６ａが考えられる。しかし、商品５２が弱い自動前出し力でも円滑に前出し出来、しかも商品５２に傷を付けないようにするためには、商品５２のサイズに合わせて側板５７、５７間距離を正確にセッティングする必要がある。このセッティングが以外に難しく、側板５７、５７間距離に余裕がないと、商品５２が途中で止まり自動前出しにならない。逆に空け過ぎると、商品５２同士が干渉し合ってかえって自動前出ししにくくなったり、商品５２を陳列できる列、すなわち、陳列量が減ってしまう。
【０００４】
従って、本発明の目的は、商品のサイズに合わせて円滑な自動前出しをするのに最適な位置決めを簡単に出来、模様替えが極めて容易となり、無駄なスペースの発生を防ぎ、しかも在庫管理もほとんどしなくて済む商品陳列ユニットを提供することにある。
【０００５】
【課題を解決するための手段】
かかる状況において、本発明者は、鋭意検討を行った結果、前出し本体上にある商品を外力により商品取出部位側に移動させる作動装置を含み、前出し本体に商品の移動をガイドする仕切り板を設けて商品前出し機を構成し、商品取出部位側に近在する仕切り板の商品一個分幅に、予め自動前出しをするのに最適に設定された幅調節スペーサを設け、これにより位置決めした商品前出し機同士を位置固定機によって位置止めすれば、幅調節スペーサ間で商品のサイズにより仕切り板間距離を決めるだけで、円滑な自動前出しに最適な位置決めが出来、無駄なスペースの発生も防げることを見い出し、本発明を完成するに至った。
【０００６】
すなわち、本請求項１に係る発明は、前出し本体上にある商品を外力により商品取出部位側に移動させる作動装置を有する商品前出し機と、前記商品前出し機と平行に設置され、前記前出し本体上にある前記商品の移動をガイドしてなる仕切り板を有する仕切り機と、前記商品取出部位側の仕切り板端部に少なくとも一個分の前記商品につき設けて対向する前記仕切り板間の最適距離を決め、前記仕切り板同士を位置決めする幅調節スペーサと、該幅調節スペーサにて位置決めした前記仕切り板同士及び前記商品前出し機を位置止めする位置固定機と、からなり、該幅調節スペーサは、商品列を該仕切り板で挟み込んだ際、幅調節スペーサの内側寸法が、該幅調節スペーサを有さない仕切り板部分の内側寸法より小となるものであることを特徴とする商品陳列ユニットを提供するものである。かかる構成を採ることにより、１個の商品前出し機を挟むようにして設置される２個の仕切り板の商品取出部位側に設けられた幅調節スペーサに商品を軽く当てるようにして、商品前出し機及び仕切り板の位置決めをし、その状態で位置固定機により位置止めするだけで、幅調節スペーサの無い仕切り板間では商品との間が程良い余裕になり、作動装置における商品を前出しする外力が弱くても、商品取出部位まで商品を円滑に移動させることが出来る。
【０００７】
また、本請求項２に係る発明は、前出し本体上にある商品を外力により商品取出部位側に移動させる作動装置を含むと共に、前記前出し本体にこれを左右に分割すると共に前後方向に延在する仕切り板を設け前記商品の移動をガイドしてなる商品前出し機と、前記商品取出部位側の仕切り板端部に少なくとも一個分の前記商品につき設けて対向する前記仕切り板間の最適距離を決め、前記商品前出し機同士を位置決めする幅調節スペーサと、該幅調節スペーサにて位置決めした前記商品前出し機同士を位置止めする位置固定機と、からなり、該幅調節スペーサは、商品列を該仕切り板で挟み込んだ際、幅調節スペーサの内側寸法が、該幅調節スペーサを有さない仕切り板部分の内側寸法より小となるものであることを特徴とする商品陳列ユニットを提供するものである。かかる構成を採ることにより、２以上の商品前出し機の商品取出部位側に近在する仕切り板に設けられた幅調節スペーサに商品を軽く当てるようにして、商品前出し機の位置決めをし、その状態で位置固定機により位置止めするだけで、幅調節スペーサの無い仕切り板間では商品との間が程良い余裕になり、作動装置における商品を前出しする外力が弱くても、商品取出部位まで商品を移動させることが出来る。
【０００８】
また、本請求項３に係る発明は、前記作動装置が、前記前出し本体に多数のローラを架設すると共に該多数のローラを商品取出部位側に下り勾配とし、前記多数のローラ上の前記商品を前記商品取出部位側に移動させる商品陳列ユニットを提供するものである。かかる構成を採ることにより、上記機能に加え、多数のローラ上の商品を外力、すなわち、その自重に起因して常時働く分力により、商品取出部位側に移動させ得る。
【０００９】
また、本請求項４に係る発明は、前記作動装置が、前記前出し本体上に進退移動自在に設けた押さえ部を、前記商品取出部位側に常時弾圧し、前記前出し本体上の前記商品を前記押さえ部により前記商品取出部位側に移動させる商品陳列ユニットを提供するものである。かかる構成を採ることにより、上記機能に加え、前出し本体上の前記商品を外力、すなわち、押さえ部によって常時働く弾圧力により、商品取出部位側に移動させる。
【００１０】
また、本請求項５に係る発明は、前記商品前出し機に前記位置固定機を設けて一体構成の位置固定付き商品前出し機とし、前記幅調節スペーサにて位置決めして前記位置固定付き商品前出し機同士を連結位置止めする商品陳列ユニットを提供するものである。かかる構成を採ることにより、上記機能に加え、幅調節スペーサにて位置決めをしつつ、位置固定付き商品前出し機同士を連結位置止め出来、位置固定機が単体で無い分部品点数が少なくなり、作業性が上がる。
【００１１】
また、本請求項６に係る発明は、前記幅調節スペーサが、前記商品前出し機の仕切り板端部に着脱自在である商品陳列ユニットを提供するものである。かかる構成を採ることにより、上記機能に加え、幅調節スペーサの付いていない商品前出し機の仕切り板端部に幅調節スペーサを取り付けることが出来、この幅調節スペーサにて位置決めをして、商品前出し機同士を位置止め出来る。
また、請求項７に係る発明は、前記作動装置は、前記前出し本体に滑り材を設けたものである商品陳列ユニットを提供するものである。かかる構成を採ることにより、簡単な構造、機構で前出しができる。
【００１２】
【発明の実施の形態】
以下、実施の形態をあげて本発明を図１〜１１に基づいて詳述する。
図１は本発明の実施形態である商品陳列ユニットの組立状態を示す斜視図、図図２は本発明の実施形態である商品陳列ユニットの使用状態を示す斜視図、図３は本発明の実施形態である商品陳列ユニットの要部を示す斜視図である。図において、商品陳列ユニット１は、前出し本体２上にある商品３を外力により商品取出部位Ａにある止め板４側に移動させる作動装置５を含むと共に、前出し本体２にこれを前後方向に平行に分割して仕切り板６を設け商品３の移動をガイドしてなる商品前出し機７と、止め板４側の仕切り板６端部に少なくとも一個分の商品２につき設けて仕切り板６間の最適距離を決め、商品前出し機７同士を位置決めする幅調節スペーサ８と、この幅調節スペーサ８にて位置決めした商品前出し機７同士を位置止めする位置固定機９と、からなるものである。
【００１３】
前記前出し本体２は、止め板４に近づくに従い幅狭くなっている細長い２枚の側板１０、１１の両端に商品取出部位Ａに位置する側板１２及びその反対側の側板１３が取り付けられてなり、これら２枚の側板１０、１１の上端面が側板１３から側板１２に向けて下り勾配になっている。これら側板１０、１１の下端側には、前記位置固定機９が嵌められる凹溝１４が刻まれている。この前出し本体２には、前述のように、仕切り板６が設けられているが、この仕切り板６は前出し本体２の前後方向に平行に２等分割でなく、図１、２中左側に片寄って分割されている。
【００１４】
そして、この仕切り板６と側板１０との間及び仕切り板６と側板１１との間に前記作動装置５、すなわち、多数のローラ１５が商品取出部位Ａ側に下り勾配となっている側板１０、１１の上端面に沿って回転自在に架設されている。従って、多数のローラ１５上の前記商品３は外力、すなわち、その自重に起因して常時働く分力により、商品取出部位Ａ側に移動する。
【００１５】
前記幅調節スペーサ８は、前記止め板４側の仕切り板６端部と一体に形成され、前述のように、仕切り板６端部に少なくとも一個分の商品３につき設けられている。これは、商品３の種類によりその寸法が異なるから、仕切り板６間の最適距離を決め、商品前出し機７同士の位置決めするのに、幅調節スペーサ８同士で一個の商品３を挟めなければならない、ことによる。また、この幅調節スペーサ８の厚みは、これが無い仕切り板６間において、商品３との間にどの程度の余裕があれば、多数のローラ１５上の商品３が最もスムーズに商品取出部位Ａに移動するかにより、決定される。すなわち、幅調節スペーサ８の厚みは、各種商品についての実験及び経験則に基づき決定される。なお、図４に示すように、幅調節スペーサ８ａは、前記止め板４側の仕切り板６端部に着脱自在であっても良い。このような幅調節スペーサ８ａであると、幅調節機能の無い商品前出し機７ａに幅調節機能を付与出来て都合が良い。
【００１６】
前記位置固定機９は、水平板１６の一端に垂直板１７が設けられてなり、この水平板１６には前記前出し本体２の側板１０、１１の下端側に設けられた凹溝１４に沿う凸部１８が設けられ、垂直板１７には前記止め板４を嵌め込む深溝１７ａが設けられてなる。従って、位置固定機９の凸部１８に２つの商品前出し機７の凹溝１４を嵌め、２つの商品前出し機７の幅調節スペーサ８間のローラ１５上に商品３を置き、位置固定機９に嵌められた２つの商品前出し機７を凸部１８に沿って移動させ、幅調節スペーサ８にて商品３を軽く当てた状態にするだけで簡単に位置決め出来、位置固定機９上でその状態を保持することで、２つの商品前出し機７を位置止めすることが出来る。
【００１７】
次に、上記構成になる商品陳列ユニット１の使用方法を説明する。
まず、一揃いの商品陳列ユニット１を用意する。すなわち、幅調節スペーサ８が一体に形成された少なくとも２つ以上の商品前出し機７と、図１２に示すような商品陳列ケース５０内の商品陳列棚５１に載置収納出来る位置固定機９とを用意するか、あるいは幅調節機能の無い商品前出し機７ａと、着脱自在の幅調節スペーサ８ａと、上記位置固定機９とを用意する。次に、商品陳列棚５１に位置固定機９を載置収納し、位置固定機９に２つ以上の商品前出し機７をその側板１２が扉５５側に来るように嵌める。商品前出し機７ａの場合は止め板４側の仕切り板６端部に幅調節スペーサ８ａを嵌めれば、商品前出し機７と同様になる。そして、２つの商品前出し機７の幅調節スペーサ８間のローラ１５上に商品３を置き、商品前出し機７を幅寄せ移動させ、２つの幅調節スペーサ８にて商品３を軽く当てた状態で位置決めし、その状態で２つの商品前出し機７を位置止めする。
【００１８】
更に、商品３を並べたい場合には、図５に示すように、３つの商品前出し機７を順次追加して、３つの商品前出し機７の幅調節スペーサ８間のローラ１５上に商品３を順次追加して置いて合計４列にする。３つの商品前出し機７を、図６に示すように、同時に矢線Ｂ方向に幅寄せ移動させ、上記と同様に幅調節スペーサ８にて位置決めし、その状態で追加した３つの商品前出し機７を位置止めする。そして、図７に示すように、各商品前出し機７間に出来た商品列に商品３が一杯になるまで入れ、図１及び図２に示すように、位置固定機９の垂直板１７の深溝１７ａに止め板４を嵌める。この状態で商品３を取り出すと、図８に示すように、各幅調節スペーサ８間の幅寸法Ｘは商品３の幅寸法Ｙとほぼ等しく、各仕切り板６間の幅寸法Ｚは商品３の幅寸法Ｙより程よく大きく（Ｘ≒Ｙ＜Ｚ）、仕切り板６間距離が自動前出しに最適に設定されているから、続く商品３は幅調節スペーサ８の無い仕切り板６にガイドされ、先頭の商品３が矢線Ｃ方向に止め板４に当たるまで移動する。
【００１９】
図９、１０は本発明の他の実施形態である商品陳列ユニット１ａを示し、図１〜８に示す商品陳列ユニット１との相違点は、商品前出し機７ｂの作動装置５ａが前出し本体２ａ上に進退移動自在に設けた押さえ部２０を、止め板４側に常時弾圧し、前出し本体２ａ上の商品３を押さえ部２０により止め板４側に移動させるものであり、前出し本体２ａ上の商品３を外力、すなわち、押さえ部２０によって常時働く弾圧力により、止め板４側に移動させる点にある。
【００２０】
この商品前出し機７ｂの前出し本体２ａは、細長い上板２１の両側に同じ細長い側板２２が取り付けられると共にその両端に側板２３が取り付けられケース状をなし、細長い上板２１の上面中央に商品３を仕切る前記仕切り板６が設けられてなる。更に、この前出し本体２ａの上板２１には長孔２４が仕切り板６を隔てて２つ明けられ、この２つの長孔２４により２つの押さえ部２０の自在な進退移動がガイドされる。そして、前出し本体２ａの細長い側板２２の下端側には、前記位置固定機９ａが嵌められる凹溝２５が刻まれている。
【００２１】
上記押さえ部２０は、Ｌ字状板２６に補強板２７が取り付けられて商品３を押すのに都合よい形状になり、そのＬ字状板２６下面には、前出し本体２ａの長孔２４内を進退移動するためのスライド溝２８を有する係合板２９が取り付けられ、更にＬ字状板２６下面には作動装置５ａが取り付けられている。すなわち、この作動装置５ａは、コイルスプリング状の弾性体３０を掛けるための掛け板３１が取り付けられ、一方、前出し本体２ａの前記止め板４側の側板２３にも弾性体３０を掛けるための掛け孔板３２が取り付けられてなる。この掛け孔板３２と掛け板３１との間に弾性体３０が掛けられるから、この弾性体３０は前出し本体２ａ内に収納されることになり、外部からは見えない。
【００２２】
そして、押さえ部２０を弾性体３０の弾性力に抗して止め板４側から離し、その間に複数の商品３を挟むことが出来、止め板４側から先頭の商品３を取り出すと、押さえ部２０は弾性体３０の弾性力により止め板４側に移動し、商品３が残っていれば、再び商品３を止め板４側に移動させ、自動前出しが可能となる。なお、この弾性体３０は、この実施例では引っ張りバネのコイルスプリングが使用されているが、これに限定されず、板バネや弾発バネを使用してもよく、そのための変形は本発明の範囲内である。
【００２３】
前記位置固定機９ａは、水平板１６には前記商品前出し機７ａにおける前出し本体２ａの細長い側板２２の下端側に設けられた凹溝２５に沿う凸部３３が設けられている。なお、商品陳列ユニット１ａにおけるその他の構成、作用は図１〜８の実施形態とほぼ同様であるから、図面に符号を付してその説明を省略する。
【００２４】
図１１は本発明の他の実施形態の商品陳列ユニット１ｂであり、図９、図１０に示す商品陳列ユニット１ａとの相違点は、前記商品前出し機７ｂごとに位置固定機９ｂを予め設けて一体形成の位置固定付き商品前出し機３４とし、この位置固定機９ｂに止め板４を着脱出来ず、商品取出部位Ａ側に止め板４ａを図１１の二点鎖線で示すように取り付けている点にある。従って、この位置固定付き商品前出し機３４は、別体の位置固定機９ａのようにそのサイズを気にしないで、商品３の種類に合わせて図１２に示す商品陳列ケース５０の商品陳列棚５１に載置出来るだけ追加して行くことが出来る。
【００２５】
図１２及び図１３は本発明の他の実施形態の商品陳列ユニット１ｃであり、図９、図１０に示す商品陳列ユニット１ａとの相違点は、商品前出し機７０ｃと仕切り板６を有する仕切り機６１を別体とし、１個の商品前出し機７０ｃを２個の仕切り板機６１で挟み込むようにして別体の位置固定機９ｃ上に設置するようにした点にある。従って、商品の背中中央部を押圧して前出しできる商品に有効である（図１３）。
【００２６】
以上、本発明の実施形態を説明したが、具体的な構成はこれに限定されず、本発明の要旨を逸脱しない範囲での変更、追加でき、例えば、図９、図１０及び図１１に示すの商品前出し機７ｂ及び３４における商品取出部位Ａ側の仕切り板６端部に着脱自在の幅調節スペーサ８ａが設けられていてもよい。また、作動装置の前出し本体表面上に形成される滑り材としては、摩擦係数の小さな板材、液体物又は粉体物を貼付又は塗布したもの、あるいは、前出し本体表面上の前後方向にリブを形成したもの等が挙げられる。
【００２７】
【発明の効果】
以上詳述したように、請求項１又は請求項２の発明によれば、仕切り機の商品取出部位側に設けられた幅調節スペーサあるいは２以上の商品前出し機の商品取出部位側に近在する仕切り板に設けられた幅調節スペーサで商品を軽く当てるようにして、商品前出し機の位置決めをし、その状態で位置固定機により位置止めするだけで、幅調節スペーサの無い仕切り板間では商品との間に程良い余裕になり、作動装置における商品を前出しする外力が弱くても、商品取出部位側に商品を移動させることが出来る。従って、商品サイズに係わりなく自動前出し出来、各種商品サイズに合わせた商品前出し機の在庫が必要ないのは無論のこと、商品サイズに合わせて最適な商品前出し機の位置決めが容易に出来、商品に傷を付けないでスムーズかつ確実な自動前出しが出来、広すぎる位置決めが無くなって商品陳列ケース等の有効利用が可能となる。
【００２８】
請求項３の発明によれば、前出し本体の多数のローラ上の商品を外力、すなわち、その自重に起因して常時働く分力により、商品取出部位側に移動させ得る。従って、上記効果に加え、多数のローラ上の商品を商品取出部位まで確実に移動させることが出来る。
【００２９】
請求項４の発明によれば、前出し本体上の商品を外力、すなわち、押さえ部に常時働く弾圧力により、商品取出部位側に移動させ得る。従って、上記効果に加え、前出し本体上の商品を押さえ部によって商品取出部位まで確実に移動させることが出来る。
【００３０】
請求項５の発明によれば、幅調節スペーサにて位置決めをしつつ、位置固定付き商品前出し機同士を連結位置止め出来、位置固定機が単体で無い分作業性が上がる。従って、位置固定機のサイズを気にすることなく、商品陳列ケース等に商品の種類数に応じて商品前出し機を容易に順次追加出来る。
【００３１】
請求項６の発明によれば、幅調節スペーサの付いていない商品前出し機の仕切り板端部に幅調節スペーサを取り付けることが出来、この幅調節スペーサにて位置決めをして、商品前出し機同士を位置止め出来る。従って、幅調節スペーサの付いていない商品前出し機でも、幅調節スペーサを取り付けることで、容易に位置決め出来る様になる。また、請求項７の発明によれば、簡易な構造、機構で前出しができる。
【図面の簡単な説明】
【図１】本発明の実施形態である商品陳列ユニットの組立状態を示す斜視図。
【図２】本発明の実施形態である商品陳列ユニットの使用状態を示す斜視図。
【図３】本発明の実施形態である商品陳列ユニットの要部を示す斜視図。
【図４】本発明の実施形態である商品陳列ユニットの他の要部を示す斜視図。
【図５】本発明の実施形態である商品陳列ユニットの組立及び使用状態を示す平面図。
【図６】本発明の実施形態である商品陳列ユニットの組立及び使用状態を示す平面図。
【図７】本発明の実施形態である商品陳列ユニットの使用状態を示す平面図。
【図８】本発明の実施形態である商品陳列ユニットの使用状態を示す平面図。
【図９】本発明の他の実施形態である商品陳列ユニットの使用状態を示す斜視図。
【図１０】本発明の他の実施形態である商品陳列ユニットの断面図。
【図１１】本発明の他の実施形態である商品陳列ユニットの組立状態を示す斜視図。
【図１２】本発明の他の実施形態である商品陳列ユニットの組立状態を示す斜視図。
【図１３】図１２の商品陳列ユニットの使用状態を示す斜視図。
【図１４】従来例を示す斜視図。
【図１５】従来例を示す斜視図。
【符号の説明】
１、１ａ、１ｂ、１ｃ，５６、５６ａ    商品陳列ユニット
２、２ａ、２ｂ、２ｃ    前出し本体
３、５２                商品
４、４ａ                止め板
５、５ａ                作動装置
６                      仕切り板
７、７ａ、７ｂ、７０ｃ  商品前出し機
８、８ａ                幅調節スペーサ
９、９ａ、９ｂ、９ｃ    位置固定機
１０、１１、１２、１３、２２、２３、５７    側板
１４、２５              凹溝
１５、５４              ローラ
１６                    水平板
１７                    垂直板
１７ａ                  深溝
１８、３３              凸部
２０                    押さえ部
２１                    上板
２４                    長孔
２６                    Ｌ字状板
２７                    補強板
２８                    スライド溝
２９                    係合板
３０                    弾性体
３１                    掛け板
３２                    掛け孔板
３４                    位置固定付き商品前出し機
５０                    商品陳列ケース
５１                    商品陳列棚
５３                    収納ケース
５５                    扉
６１                    仕切り機
【図１】
0004151809.tif 000002
【図２】
0004151809.tif 000003
【図３】
0004151809.tif 000004
【図４】
0004151809.tif 000005
【図５】
0004151809.tif 000006
【図６】
0004151809.tif 000007
【図７】
0004151809.tif 000008
【図８】
0004151809.tif 000009
【図９】
0004151809.tif 000010
【図１０】
0004151809.tif 000011
【図１１】
0004151809.tif 000012
【図１２】
0004151809.tif 000013
【図１３】
0004151809.tif 000014
【図１４】
0004151809.tif 000015
【図１５】
0004151809.tif 000016